(57)【特許請求の範囲】
【請求項１】
仕切り体を有する釣具ケースにおいて、ケース本体の底部は通気性を有し、前記ケース本体の内側底部に水切り透孔を有する底板をケース本体内に落とし込んで敷設し、ケース本体内に上端と下端に開口を有する仕切り体を収容したことを特徴とする釣具ケース。
【請求項２】
底板はケース本体の底部と仕切り体で支持したことを特徴とする請求項１記載の釣具ケース。
【発明の詳細な説明】
【０００１】
【発明の属する技術分野】
本発明は、水切りのよいケ−スに改良した釣具ケ−スに関する。
【０００２】
【従来の技術】
従来から釣具ケ−スは例えば、特開平７−２２７１８７号公報、登録実用新案第３０３０８５５号公報のように、バック等の外装体を形成するケ−ス本体内に格子状や筒状の仕切り体を設けてルア−等釣具を整理して収納できるようにしたものが紹介されている。
この様なケ−スには上記ルア−のように釣りに使用して濡れた状態の釣具を収納することもしばしばあった。
ところが、上記のような従来技術は収納したルア−等の釣り針が周囲に引っかかることを防止するため仕切り体が有底になっており内部に水が溜まり易く、放置しておくと内部に溜った水が腐敗したり、収納した釣具の変質の原因になる等の問題があった。
【０００３】
さらに、例えば、特開平１０−３２７７２９号公報には、仕切り体を有するケ−スの側壁の一側下方位置に排水口を設けた釣具ケ−スが紹介されている。
この釣具ケ−スではケ−スの側壁の下方位置に排水口を設けているためケ−スが傾いて置かれているだけでケ−ス内底部に水が残ってしまいケ−ス内に収納した釣具を充分に乾かすことが出来ない。
しかも、仕切り体とケ−ス底部の間に隙間を設けているため収納した釣具が仕切り体の下端に引っかかり易いという問題を有している。
【０００４】
【発明が解決しようとする課題】
解決しようとする問題点は、ルア−等の釣り針が周囲に引っかかることを防止するために有底の仕切り体では内部に水が溜まり易く、放置しておくと内部に溜った水が腐敗したり、収納した釣具の変質の原因になる等の問題があり、ケ−スの側壁の一側下方位置に排水口を設けると、ケ−スが傾いて置かれているだけでケ−ス内底部に水が残ってしまいケ−ス内に収納した釣具を充分に乾かすことが出来ないと共に、仕切り体とケ−ス底部の間に隙間を設けているため収納した釣具が仕切り体の下端に引っかかり易いことである。
【０００５】
本発明の目的は前記欠点に鑑み、底部は通気性を有し、収納した釣具を充分乾かすことが出来ると共に、ケ−ス内で引っかかりを防止した釣具ケ−スを提供することである。
【０００６】
【課題を解決するための手段】
上記課題を解決するために、
請求項１に係わる本発明は、仕切り体を有する釣具ケースにおいて、ケース本体の底部は通気性を有し、前記ケース本体の内側底部に水切り透孔を有する底板をケース本体内に落とし込んで敷設し、ケース本体内に上端と下端に開口を有する仕切り体を収容したこと要旨とするものである。
請求項２に係わる本発明は、底板はケース本体の底部と仕切り体で支持したことを要旨とするものである。
【０００７】
【発明の実施の形態】
請求項１の本発明により、仕切り体９の中に収納される水に濡れたルア−等の水分は底板８、８′の水切り透孔８ａや周囲を通して、更にケ−ス本体１の底部４の通気性部材を通して下方のケ−ス本体１外に排出されるので、ケ−ス本体１内や仕切り体９の中に水が溜ることがなく、収納した釣具を充分に乾かすことが出来る。
収納した釣具のケ−ス内での引っかかりを防止しながら充分に乾かすことが出来る。
【０００８】
請求項２の本発明により、底板８、８′はケ−ス本体１の底部４と仕切り体９で支持されているので、水はけがよく、ケ−ス本体１内や仕切り体９内を充分に乾かすことが出来る。
【０００９】
【実施例】
以下、図示の実施例によって本発明を説明すると、図１から図３は第１実施例で、図１は釣具ケ−スの外観斜視図、図２は釣具ケ−スの蓋体が開かれた斜視図、図３は釣具ケ−スの断面側面図と要部拡大断面側面図である。
【００１０】
釣具ケ−スは、ケ−ス本体１と蓋体２が薄い合成樹脂シ−トで形成されて後側が同質シ−トの連結部３で連結され、連結部３以外のケ−ス本体１と蓋体２間は係合チャック１０、１１で開閉自在に閉じられている。
ケ−ス本体１の底部４は網目の通気性部材で形成されてケ−ス本体１の下端周囲に縫着で固定されている。
この縫着部によって底部４の周囲に沿って底部突起４ａが形成されている。
ケ−ス本体１の後側には図示しないベルト通しでベルト５が伸縮自在に取り付けられ、ベルト５の両端に係止具６、７が取り付けられている。
ケ−ス本体１の中には底板８と複数の仕切り体９が落し込まれて収容されている。
ケ−ス本体１と蓋体２が形成される薄い合成樹脂シ−トの材料は、ＥＶＡ（エチレン酢酸ビニ−ル）、ＰＶＣ（ポリ塩化ビニ−ル）、ＰＥ（ポリエチレン）等を用いた防水性と柔軟性を有するシ−トが好ましい。
【００１１】
ケ−ス本体１は周壁１ａの周囲が溶着されて直方体状に形成され、開口縁はフレ−ム１２を巻き込んで図３のａ部で溶着されると共に端部１ｂが外側に突出されている。
ケ−ス本体１は薄い合成樹脂シ−トで直方体状に形成されているので、中に物を収容する時は、自立性を有すると共に、中に底板８と複数の仕切り体９を収容しない時は、高さの中間を中折りしてコンパクトに折り畳んで携帯等することができる。
【００１２】
底板８はケ−ス本体１の周壁１ａの周囲寸法より小さく形成されると共に複数の水切り透孔８ａが穿設されている。
複数の仕切り体９は例えば図２、図３のように、適度の弾性を有する薄い硬質の合成樹脂シ−トで直方体状に形成されると共に仕切り部９ａが形成され、上端と下端に開口を有する筒状に形成されている。
【００１３】
ケ−ス本体１の中に底板８と複数の仕切り体９が収容される時は、底板８と複数の仕切り体９が落し込まれ、底板８はケ−ス本体１の底部４の網目の通気性部材と複数の仕切り体９で支持されている。
仕切り体９の中には釣具のルア−１３、１４等が収納される。
仕切り体９と底板８は釣針等が引っ掛からないように表面が滑面状になっている。
【００１４】
前記のように釣具ケ−スが構成されると、仕切り体９の中に収納される水に濡れたルア−等の水分は底板８の水切り透孔８ａや周囲を通して、更にケ−ス本体１の底部４の網目の通気性部材を通して下方のケ−ス本体１外に排出されるので、ケ−ス本体１内や仕切り体９の中に水が溜ることがなく、収納した釣具を充分に乾かすことが出来る。
収納した釣具のケ−ス内での引っかかりを防止しながら充分に乾かすことが出来る。
【００１５】
図４は第２実施例で、図４は釣具ケ−スの断面側面図と要部拡大断面側面図である。
【００１６】
第２実施例では、ケ−ス本体１の底部４は網目の通気性部材で形成されてケ−ス本体１の下端周囲に縫着で固定されている。
この縫着部によって底部４の周囲に沿って底部突起４ａが形成され、底部突起４ａの上に前記第１実施例より一回り大きい底板８′が載せられている。
底板８′が底部突起４ａの上に載せられると、底板８′と底部４の網目の通気性部材の間に隙間ができてより水分が溜ることなく釣具が乾き易くなる。
他の構成は前記第１実施例と略同一である。
【００１７】
前記説明では、ケ−ス本体１と蓋体２が形成される薄い合成樹脂シ−トの材料は、ＥＶＡ（エチレン酢酸ビニ−ル）、ＰＶＣ（ポリ塩化ビニ−ル）、ＰＥ（ポリエチレン）等を用いた防水性と柔軟性を有するシ−トとしたが、ナイロン等の織布で形成してもよい。
底部４の通気性部材は網目状部材の他に複数の小孔を有するシ−トや通気性を有する織布や不織布であっても良い。
仕切り体９は他の形状であってもよい。
ベルト５はウエストバンドタイプを図示したが、肩掛けや首掛けベルトタイプでもよい。
【００１８】
【発明の効果】
本発明は、以上説明したような形態で実施され、以下に記載されるような効果を奏する。
【００１９】
請求項１により、仕切り体の中に収納される水に濡れたルア−等の水分は底板の水切り透孔や周囲を通して、更にケ−ス本体の底部の通気性部材を通して下方のケ−ス本体外に排出されるので、ケ−ス本体内や仕切り体の中に水が溜ることがなく、収納した釣具を充分に乾かすことが出来る。
収納した釣具のケ−ス内での引っかかりを防止しながら充分に乾かすことが出来る。
【００２０】
請求項２の本発明により、底板はケ−ス本体の底部と仕切り体で支持されているので、水はけがよく、ケ−ス本体内や仕切り体内を充分に乾かすことが出来る。
【図面の簡単な説明】
【図１】第１実実施例で、釣具ケ−スの外観斜視図である。
【図２】同釣具ケ−スの蓋体が開かれた斜視図である。
【図３】同釣具ケ−スの断面側面図と要部拡大断面側面図である。
【図４】第２実施例で、釣具ケ−スの断面側面図と要部拡大断面側面図である。
【符号の説明】
１  釣具ケ−ス本体
４  底部
８、８′  底板
９  仕切り体
【図１】
0003777292.tif 000002
【図２】
0003777292.tif 000003
【図３】
0003777292.tif 000004
【図４】
0003777292.tif 000005